(57)【特許請求の範囲】
【請求項１】
自然木の形状を用いた祈りの対象物を配置する置物であって、
前記対象物を配置するための挿入部と、
前記挿入部内に挿入して固定され、前記対象物を配置するケース部材と、
前記挿入部の周辺の前記自然木上に取り付けられる枠部材と、を含み、
前記ケース部材が上面部及び下面部を有し、
前記上面部及び前記下面部が、前記挿入部の入口部分の前記自然木の形状に合わせた形状である祈りの対象物を配置する置物。
【請求項２】
前記挿入部が、前記自然木を刳り抜いたものである請求項１記載の祈りの対象物を配置する置物。
【請求項３】
前記ケース部材の前記上面部及び前記下面部の前記挿入部の入口部分側の平面視の形状が円弧状である請求項１記載の祈りの対象物を配置する置物。
【請求項４】
前記自然木を載置する載置部材を備える請求項１記載の祈りの対象物を配置する置物。
【請求項５】
前記ケース部材の内側に金箔が貼られている請求項１乃至４のいずれか１項に記載の祈りの対象物を配置する置物。
【発明の詳細な説明】
【技術分野】
【０００１】
本発明は、仏壇や神棚等の祈りの対象物の置物に関する。
【背景技術】
【０００２】
古くから我が国の人々は、祈りの習慣をもっており、山や岩、樹木といった自然のものから、使い親しんでいる道具類に至るまで、神（霊魂）が宿ると考え、祈りの対象となっていた。
【０００３】
宗教と言えば何となく抵抗がある人々であっても、神聖なものには憧れや愛着がある人が多く、慶事や弔事にとらわれず無意識に祈る人が多い。そして、日本人の５１．８％が無宗教という統計があり、これは世界で５番目の多さである。
【０００４】
特に日本人には、一般的に、山、岩、樹木という自然のものから道具類に至るまで、そこに神仏や魂が宿るという思いがある。
【０００５】
先行文献１では、仏壇としては一般には使用されなかった自然石が用いられた仏壇が開示されている。
【先行技術文献】
【特許文献】
【０００６】
【特許文献１】特開２００５−９５３３９号公報
【発明の概要】
【発明が解決しようとする課題】
【０００７】
京都の伝統産業の一つに仏壇仏具がある。この仏壇仏具を作る技術者は、技術だけでなく、製品に魂を吹き込み、神聖さを生み出している。
【０００８】
しかしながら、長い歴史の中で、見本、型及び下絵といったものが蓄積され、現在、当該技術者達は、先人が残したものを参考にすることが多く、新しく創作することがほとんどなくなってしまった。
【０００９】
このようなことは技術の伝承という意味では良いが、神聖さが感じ取れる製品がなくなってしまうという問題がある。
【００１０】
本発明の目的は、神聖さを感じ取ることができる仏壇、神棚、厨子等の祈りの対象物の置物を提供することである。
【課題を解決するための手段】
【００１１】
本発明の第１の局面に係る祈りの対象物を配置する置物は、自然木の形状を用いた祈りの対象物を配置する置物であって、
前記対象物を配置するための挿入部と、
前記挿入部内に挿入し、前記対象物を配置するケース部材と、
前記挿入部の周辺に取り付けられる枠部材と、を含む、
祈りの対象物を配置する置物である。
【００１２】
自然木の形状をそのまま用いているため、人々はその自然木の形状に神聖さを感じることができる。
【００１３】
本発明の第２の局面に係る祈りの対象物を配置する置物は、第１の局面に係る祈りの対象物を配置する置物であって、前記挿入部が、前記自然木を刳り抜いたものである祈りの対象物を配置する置物である。
【００１４】
自然木を貫通させないことにより、自然木の形状をできる限り残すことができ、美感を損ない難く、神聖さを感じ易くなる。
【００１５】
本発明の第３の局面に係る祈りの対象物を配置する置物は、第１の局面に係る祈りの対象物を配置する置物であって、前記ケース部材が直方体である祈りの対象物を配置する置物である。
【００１６】
ケース部材を直方体とすることにより対象物を配置し易くなる。また、ケース部材を直方体とすることにより挿入部の加工が容易となる。
【００１７】
なお、ケース部材の形状は、立方体であってもよく、また、円柱状であってもよい。挿入部はケース部材を挿入できる形状となる。
【００１８】
本発明の第４の局面に係る祈りの対象物を配置する置物は、第１の局面に係る祈りの対象物を配置する置物であって、前記自然木を載置する載置部材を備える祈りの対象物を配置する置物である。
【００１９】
載置部材を配置することにより祈りの対象物を配置する置物の見栄えが良くなり、神聖さを感じ易くなる。
【００２０】
本発明の第５の局面に係る祈りの対象物を配置する置物は、第１の局面乃至第４の局面に係る祈りの対象物を配置する置物であって、前記ケース部材の内側に金箔が貼られている祈りの対象物を配置する置物である。
【００２１】
ケース部材の内側に金箔が貼られていることにより、祈りの対象物を配置する置物の見栄えが良くなり、神聖さを感じ易くなる。
【図面の簡単な説明】
【００２２】
【図１】本発明に係る一実施形態の祈りの対象物を配置する置物の正面斜視図。
【図２】本発明に係る一実施形態の祈りの対象物を配置する置物の斜視図。
【図３】本発明に係る一実施形態の祈りの対象物を配置する置物の背面斜視図。
【図４】本発明に係る一実施形態の祈りの対象物を配置する置物の側面図。
【図５】本発明に係る一実施形態の祈りの対象物を配置する置物の斜視図。
【図６】本発明に係る一実施形態の祈りの対象物を配置する置物の正面図。
【発明を実施するための形態】
【００２３】
以下、本発明の実施形態に関して図面を参照しながら説明する。
＜第１実施形態＞
図１乃至図５に示すように、本実施形態に係る祈りの対象物の置物１００は、
カットされた自然木２００と、
自然木２００を載置する載置部材３００と、
自然木２００の側面であるｘｚ平面側に配置される挿入部４００と、
挿入部４００に挿入されるケース部材５００と、
挿入部４００の周辺に取り付けられる枠部材６００と、
ケース部５００内に配置される祈願の対象物７００と、を含む。
【００２４】
祈りの対象物の置物１００の例としては、仏壇、神棚、厨子等が挙げられる。
【００２５】
自然木２００は、本実施形態では北山杉が用いられており、ｚ軸方向の寸法が３０ｃｍ程度に切断された丸太であり、ｘｙ平面の直径が約１５ｃｍである。
【００２６】
なお、自然木２００はどのような形状であってもよく、どのような大きさであってもよい。
【００２７】
また、本実施形態では丸太が用いられているが、皮が付いた状態のものであってもよい。
【００２８】
自然木２００は、自然の状態の木の形状をそのまま利用するものであり、本実施形態の自然木２００は、３０ｃｍ程度に切断したものであり、皮を剥ぎ乾燥させた北山杉が用いられている。
【００２９】
載置部材３００は、自然木２００を載置するところである。本実施形態では、載置部材３００はｘｙ平面視円形である。
【００３０】
挿入部４００は、ケース部材５００が挿入される部分であり、自然木２００のｘｚ平面の略中央部がくり抜かれたところである。
【００３１】
挿入部４００は自然木２００をｙ軸方向に貫通させてもよいが、見栄えが悪くなるため貫通させないものが好ましい。
【００３２】
挿入部４００は、ケース部材５００が挿入できるように、ケース部材５００より若干大きい形状である。
【００３３】
挿入部４００の形状は、ケース部材５００の形状に合わせた形状である。
【００３４】
図５に示すように、本実施形態では、ケース部材５００は、ｘｚ平面視四角形である。
【００３５】
また、ケース部材５００は、ｘｙ平面視では、ｙ軸負方向側が、自然木２００のｘｙ平面視のｙ軸負方向側の形状に合わせた形状となっている。
【００３６】
ケース部材５００は、ｚ軸正方向側に配置される上面部５１０と、
ｚ軸負方向側に配置される下面部５２０と、
ｘ軸負方向側に配置される側面部の第１側面部５３０と、
ｘ軸正方向側に配置される側面部の第２側面部５４０と、
ｙ軸正方向側に配置される側面部の第３側面部５５０と、を含む。
【００３７】
上面部５１０は、ｘ軸正方向側の辺とｙ軸正方向側の辺がｘｙ平面視において直角になっており、ｘ軸負方向側の辺とｙ軸正方向側の辺もｘｙ平面視において直角になっている。
【００３８】
上面部５１０のｙ軸負方向側の辺は、円弧状になっており、挿入部４００の入口部分であるｙ軸負方向側の形状に合わせた形状となっている。
【００３９】
上面部５１０の内側（ｚ軸負方向側）の面には金箔が貼られている。なお、金箔が貼られているものでなく、金色に塗付されるものであってもよい。
【００４０】
下面部５２０は、上面部５１０と同様に、ｘ軸正方向側の辺とｙ軸正方向側の辺がｘｙ平面視において直角になっており、ｘ軸負方向側の辺とｙ軸正方向側の辺もｘｙ平面視において直角になっている。
【００４１】
下面部５２０のｙ軸負方向側の辺は、円弧状になっており、挿入部４００の入口部分であるｙ軸負方向側の形状に合わせた形状となっている。
【００４２】
下面部５２０の内側（ｚ軸正方向側）の面には金箔が貼られている。なお、金箔が貼られているものでなく、金色に塗付されるものであってもよい。
【００４３】
第１側面部５３０は、ｘ軸負方向側に配置されるところであり、ｙｚ平面視略四角形である。
【００４４】
第１側面部５３０は、上側（ｚ軸正方向側）には上面部５１０が接続されており、下側（ｚ軸負方向側）には下面部５２０が接続されており、ｙ軸正方向側（入口とは反対側）には第３側面部５５０が接続されている。
【００４５】
第１側面部５３０の内側（ｘ軸正方向側）の面には金箔が貼られている。なお、金箔が貼られているものでなく、金色に塗付されるものであってもよい。
【００４６】
第２側面部５４０は、上側（ｚ軸正方向側）には上面部５１０が接続されており、下側（ｚ軸負方向側）には下面部５２０が接続されており、ｙ軸正方向側（入口とは反対側）には第３側面部５５０が接続されている。
【００４７】
第２側面部５４０の内側（ｘ軸負方向側）の面には金箔が貼られている。なお、金箔が貼られているものでなく、金色に塗付されるものであってもよい。
【００４８】
第３側面部５５０は、上側（ｚ軸正方向側）には上面部５１０が接続されており、下側（ｚ軸負方向側）には下面部５２０が接続されており、ｘ軸負方向側には第１側面部５３０が接続されており、ｘ軸正方向側には第２側面部５４０が接続されている。
【００４９】
第３側面部５５０の内側（ｙ軸負方向側）には金箔が貼られている。
【００５０】
枠部材６００は、挿入部４００の入口周辺に配置される。
【００５１】
枠部材６００は、挿入部４００の上方（ｚ軸正方向側）に配置される上枠部材６１０と、
挿入部４００の下方（ｚ軸負方向側）に配置される下枠部材６２０と、
挿入部４００のｘ軸負方向側に配置される第１側方枠部材６３０と、
挿入部４００のｘ軸正方向側に配置される第２側方枠部材６４０と、を含む。
【００５２】
上枠部材６１０は、挿入部４００の開口部分の上方に配置されており、開口部分のすぐ上に配置されている。
【００５３】
下枠部材６２０は、挿入部４００の開口部分の下方に配置されており、開口部分のすぐ下に配置されている。
【００５４】
第１側方枠部材６３０は、挿入部４００の開口部分の向かって左側（ｘ軸負方向側）に配置されており、当該開口部分の向かってすぐ左側（ｘ軸負方向側）に配置されている。
【００５５】
第２側方枠部材６４０は、挿入部４００の開口部分の向かって右側（ｘ軸正方向側）に配置されており、当該開口部分の向かってすぐ右側（ｘ軸正方向側）に配置されている。
【００５６】
枠部材６００が設けられることにより、見栄えが良くなる。
【００５７】
対象部７００は、使用者の祈りの対象である。祈りの対象は使用者によって異なるためどのようなものであってもよい。
【００５８】
対象物７００の例としては、御札、仏像等が挙げられる。
【００５９】
＜第２実施形態＞
第２実施形態は、図６に示すように、自然木の形状が第１実施形態の自然木２００とは異なる形状の自然木８００である。
【００６０】
第２実施形態では、祈りの対象物を配置する置物１００には載置部材３００が使用されておらず、また、枠部材６００も使用されていない。
【００６１】
本発明は、その趣旨を逸脱しない範囲で種々の改良、修正、又は変形を加えた態様でも実施できる。
【００６２】
例えば、第１実施形態では、ケース部材５００と枠部材６００は別々の部材であったが、ケース部材５００と枠部材６００とが一体となっているものであってもよい。
【００６３】
また、自然木２００又は自然木８００に布を被せるようにしてもよい。
【符号の説明】
【００６４】
１００…置物
２００…自然木
３００…載置部材
４００…挿入部
５００…ケース部材
６００…枠部材
７００…対象物
８００…自然木
【要約】      （修正有）【課題】神聖さを感じ取ることができる仏壇、神棚、厨子等の祈りの対象物の置物を提供する。【解決手段】祈願の対象物７００を配置するための置物１００は、自然の状態の木の形状をそのまま利用した自然木２００の側面に挿入部４００を有し、自然木を載置する載置部材３００と、挿入部内に対象物を配置するケース部材５００と、挿入部４００の周辺に取り付けられる枠部材６００と、を含む。自然木の形状をそのまま用いているため、人々はその自然木の形状に神聖さを感じることができる。【選択図】図２【図１】
0006908963.tif 000002
【図２】
0006908963.tif 000003
【図３】
0006908963.tif 000004
【図４】
0006908963.tif 000005
【図５】
0006908963.tif 000006
【図６】
0006908963.tif 000007